(57)【特許請求の範囲】
【請求項１】
熱可塑性樹脂をブロー成形して得られる中空二重壁構造の成形品であって、
仕切壁を形成するスライドコアを進出および後退させることにより、突出された他方の壁の一部がその頂端面において一方の壁と接して溶着されるとともにその両側面が互いに押圧され一体に溶着された壁からなる仕切壁が中空部内で一方の壁と他方の壁とを一体的につなぐように形成されており、
他方の壁の外面の上記仕切壁と対応する部位に、開口端の幅が１〜５ｍｍであり、かつ他方の壁の肉厚に比して浅い凹溝を形成した
ことを特徴とする中空二重壁成形品。
【請求項２】
他方の壁の外面の上記仕切壁と対応する部位に形成する凹溝は、深さが０．１〜２ｍｍであり、かつ開口端の幅が仕切壁の幅より狭いことを特徴とする請求項１記載の中空二重壁成形品。
【請求項３】
他方の壁の外面の上記仕切壁と対応する部位に形成する凹溝は、その深さ方向に幅が狭くなるように形成したことを特徴とする請求項１または２記載の中空二重壁成形品。
【請求項４】
熱可塑性樹脂をブロー成形して中空二重壁構造の成形品を得る方法であって、
一対の分割金型間に熱可塑性樹脂のパリソンを配置して型締めし、他方の金型に設けた仕切壁を形成するスライドコアを進出させることにより他方の壁の一部を一方の壁に接するまで突出させて両壁を溶着させてから仕切壁を形成するスライドコアを他方の金型のキャビティ面から少しだけ突出する位置まで後退させたうえ、
パリソン内に圧力流体を導入してパリソンを一対の金型のキャビテイ面に沿わせた形状に成形するとともに、
ブロー圧により上記突出させた壁の側面を互いに溶着して一方の壁と他方の壁との間に一体的な仕切壁を形成した後、一対の金型を開いて成形品を取り出す
ことを特徴とする中空二重壁成形品の製造方法。
【発明の詳細な説明】
【０００１】
【発明の属する技術分野】
本発明は、熱可塑性樹脂をブロー成形して得られる中空二重壁構造でかつその一方の壁と他方の壁とを中空部内で一体的につなぐ仕切壁を有する中空二重壁成形品、およびその製造方法に関する。
【０００２】
本発明に係る中空二重壁成形品は、住宅設備品、家具のパネル、家電製品のハウジング、事務機器のハウジング、自動車用品のパネルなどに用いられるものである。
【０００３】
【従来の技術】
住宅設備品としては、浴室用パネル、洗面台、壁材、間仕切り、玄関扉などであり、家具のパネルとしては、机の天板、仕切用パネル、本棚などである。また、家電製品のハウジングとしては、冷蔵庫のハウジング、テレビのハウジングなどである。事務機器のハウジングとしては、複写機のハウジングおよびその扉などである。自動車用のパネルとしては、コンソールボックスリッド、ボンネット、ドアなどである。
【０００４】
そして、住宅設備品、家具のパネル、家電製品のハウジング、事務機器のハウジング、自動車用品のパネルなどは、高い剛性を要求されることが多いので、中空二重壁構造の一方の壁と他方の壁とを、他方の壁から一方の壁に向けて形成した凹状リブにより一体化した構造のものが用いられている（特開平７−１９５５５９号公報参照）。
【０００５】
【発明が解決しようとする課題】
住宅設備品、家具のパネル、家電製品のハウジング、事務機器のハウジング、自動車用品のパネルなどにおいては、その表側の面は勿論のこと裏側の面であっても美観が問われることがある。そして、このようなパネルの場合において高い剛性を要求される場合には、中空二重壁構造の一方の壁と他方の壁との一体化を図るため、ブロー成形において一方の壁と他方の壁とを他方の壁の一部を一方の壁に接するまで突出させて中空部内で一体的につなぐ仕切壁（いわゆるインナーリブ）を形成することが行われている（図１、図３参照）。
【０００６】
ところで、上述の仕切壁は、一対の分割金型間に熱可塑性樹脂のパリソンを配置して型締めし、他方の金型に設けたスライドコアを進出させることにより他方の壁の一部を一方の壁に接するまで突出させて両壁を溶着させてからスライドコアを他方の金型のキャビティ面まで後退させたうえ、ブロー圧により上記突出させた壁の側面を互いに溶着して一方の壁と他方の壁との間に一体的な仕切壁を形成する経過をたどるので、突出させた壁がブロー圧により一体化された仕切壁となる過程において、仕切壁となる部位は他方の金型のキャビティに対する支持がないままブロー圧を受ける状態となる。
【０００７】
このため、ブロー圧の地理的な変動等により仕切壁の互いの接合面が他方の金型のキャビティに沿って波を打ったようになる現象を呈するので、中空二重壁構造の他方の壁の外面には、仕切壁に対応する部位に波状の線が現出して外観が損なわれる。
【０００８】
そこで、本発明は、一対の分割金型間に熱可塑性樹脂のパリソンを配置して型締めし、他方の金型に設けたスライドコアを進出させることにより他方の壁の一部を一方の壁に接するまで突出させて両壁を溶着させてからスライドコアを他方の金型のキャビティ面から少しだけ突出する位置まで後退させたうえ、パリソン内に圧力流体を導入してパリソンを一対の金型のキャビテイ面に沿わせた形状に成形するとともに、ブロー圧により上記突出させた壁の側面を互いに溶着して一方の壁と他方の壁との間に一体的な仕切壁を形成することにより、ブロー圧により上記突出させた壁の側面を互いに溶着して一方の壁と他方の壁との間に一体的な仕切壁を形成する過程において仕切壁となる部位をスライドコアの先端部で他方の金型のキャビティに支持して、他方の壁の外面の仕切壁に対応する部位に波状の線が現出するのを確実に防止し、一方の壁の外面だけでなく他方の壁の外面の外観性にもすぐれた中空二重壁成形品を提供することを目的とする。
【０００９】
また、本発明は、一方の壁の外面だけでなく他方の壁の外面の外観性にもすぐれた中空二重壁成形品を確実に得ることができる中空二重壁成形品の製造方法を提供することを目的とする。
【００１０】
【課題を解決するための手段】
上記目的を達成するため、本発明の請求項１に係る中空二重壁成形品は、熱可塑性樹脂をブロー成形して得られる中空二重壁構造の成形品であって、仕切壁を形成するスライドコアを進出および後退させることにより、突出された他方の壁の一部がその頂端面において一方の壁と接して溶着されるとともにその両側面が互いに押圧され一体に溶着された壁からなる仕切壁が中空部内で一方の壁と他方の壁とを一体的につなぐように形成されており、他方の壁の外面の上記仕切壁と対応する部位に、開口端の幅が１〜５ｍｍであり、かつ他方の壁の肉厚に比して浅い凹溝を形成したことを特徴とするものである。
【００１１】
本発明の請求項２に係る中空二重壁成形品は、請求項１の構成において、他方の壁の外面の上記仕切壁と対応する部位に形成する凹溝は、深さが０．１〜２ｍｍであり、かつ開口端の幅が仕切壁の幅より狭いことを特徴とするものである。
【００１２】
本発明の請求項３に係る中空二重壁成形品は、請求項１または２の構成において、他方の壁の外面の上記仕切壁と対応する部位に形成する凹溝は、その深さ方向に幅が狭くなるように形成したことを特徴とするものである。
【００１３】
また、本発明の請求項４に係る中空二重壁成形品の製造方法は、熱可塑性樹脂をブロー成形して中空二重壁構造の成形品を得る方法であって、一対の分割金型間に熱可塑性樹脂のパリソンを配置して型締めし、他方の金型に設けた仕切壁を形成するスライドコアを進出させることにより他方の壁の一部を一方の壁に接するまで突出させて両壁を溶着させてから仕切壁を形成するスライドコアを他方の金型のキャビティ面から少しだけ突出する位置まで後退させたうえ、パリソン内に圧力流体を導入してパリソンを一対の金型のキャビテイ面に沿わせた形状に成形するとともに、ブロー圧により上記突出させた壁の側面を互いに溶着して一方の壁と他方の壁との間に一体的な仕切壁を形成した後、一対の金型を開いて成形品を取り出すことを特徴とするものである。
【００１４】
【発明の実施の形態】
図１は本発明の一実施の形態に係る中空二重壁パネルを示す一部破断斜視図、図２はその一部の断面図である。また、図３および図４は本発明の一実施の形態に係る中空二重壁パネルのブロー成形態様を示し、図３は型締め時に仕切壁を形成するスライドコアを進出させた工程を示す断面図、図４はスライドコアを後退させた工程を示す断面図である。図５、図６および図７は、それぞれ本発明の他の実施の形態を示し、型締め後、仕切壁を形成するスライドコアを進出させた工程を示す断面図である。
【００１５】
図１および図２において、１は中空二重壁成形品であって、この中空二重壁成形品１は熱可塑性樹脂をブロー成形したものである。中空二重壁成形品１を構成する一方の壁２と他方の壁３とは、他方の壁３から一方の壁２に向けて形成した仕切壁４により一体化されている。５は中空部である。
【００１６】
上記仕切壁４は、中空二重壁成形品１の他方の壁３の一部を一方の壁２に接するまで突出させてなるインナーリブであり、インナーリブとは、一方の壁２と他方の壁３との間の中空部５内にあって、側面の溶着部７で一体に連設された壁である。
【００１７】
他方の壁３の外面の上記仕切壁４と対応する部位には、凹溝６が形成されている。この凹溝６は、仕切壁４の幅より狭くかつ他方の壁３の肉厚に比して極く浅いものであって、仕切壁４の成形にかかわるスライドコア（後述）の先端部によって形成される。
【００１８】
上記凹溝６は、その深さが０．１〜２ｍｍであり、かつ開口端の幅が１〜５ｍｍである。凹溝６の深さが０．１ｍｍ未満であるときは、仕切壁４となる部位の他方の金型（後述）のキャビティに対する支持が不十分であり、２ｍｍを越えると成形品の離型に支障が生じる場合がある。また、後述するが、凹溝６の幅が１ｍｍ未満であるときは、ブロー圧により一体的な仕切壁４を形成する過程において仕切壁４となる部位をスライドコアの先端部で他方の金型のキャビティに支持する作用が不十分であり、５ｍｍを越えると他方の壁３の外面の外観性が損なわれる。
【００１９】
本発明に係る中空二重壁成形品１を構成する熱可塑性樹脂は、ブロー成形可能なものであればよいが、高密度ポリエチレン樹脂、中密度ポリエチレン樹脂、ポリプロピレン樹脂、変性ポリフェニレンオキサイド樹脂、ポリカーボネート樹脂、ポリアミド樹脂、ポリスチレン樹脂、ＡＢＳ樹脂などが好適である。
【００２０】
本発明に係る中空二重壁成形品１は、図３および図４に示すように、熱可塑性樹脂をブロー成形して製造される。これらの図において、一対の分割金型は、一方の金型１１と他方の金型１２からなり、一方の金型１１は中空二重壁パネル１の一方の壁２を、他方の金型１２は他方の壁３を成形するキャビティを有している。そして、他方の金型１２には、仕切壁４を形成するためのスライドコア１３が設けられている。
【００２１】
上記一対の分割金型により中空二重壁成形品１をブロー成形するには、一方の金型１１と他方の金型１２との間にパリソン１４を配置し、図３に示すように一対の分割金型を型締めする。そして、スライドコア１３を進出させ、パリソン１４の他方の壁３となる部分の一部をパリソン１４の一方の壁２となる部分に接するまで突出させて、その頂端面８をパリソン１４の一方の壁２となる部分に溶着する。
【００２２】
次いで、図４に示すように、スライドコア１３を他方の金型１２のキャビティ面から少しだけ突出する位置まで後退させたうえ、その状態でパリソン１４内に圧力流体を導入してその内部の圧力を高めると、パリソン１４は、一方の金型１１と他方の金型１２のキャビティに圧着する。また、パリソン１４の他方の壁３となる部分の突出した部分は、その両側面が互いに押圧され一体に溶着した溶着部７をなして仕切壁４が形成されるが、その仕切壁４は、図４に示すように、その突出した壁の両側面が互いに溶着一体化されるとともに頂端面８は一方の壁２に溶着される。
【００２３】
なお、ブロー成形された中空二重壁成形品１は、一対の金型を冷却してから型抜きして取り出す。
【００２４】
上記ブロー成形工程において、仕切壁４となる部位は、突出したスライドコア１３の先端部で他方の金型１２のキャビティに対して支持されるので、一体の仕切壁４が形成される過程でブロー圧を受けても、仕切壁４が他方の金型１２のキャビティ面に沿って位置ずれを起こすことがなく、他方の壁３の外面の仕切壁４に対応する部位には波状の線が現出するのを確実に防止できる。このため、一方の壁２の外面だけでなく他方の壁３の外面の外観性にもすぐれた中空二重壁成形品１が得られることになる。
【００２５】
図５、図６および図７は、それぞれ本発明に係る中空成形品の製造方法の他の実施の形態を示している。なお、これら他の実施の形態にあっては、図３および図４に示したものとスライドコア１３の先端形状が異なるだけで、その他の態様は図３および図４に示すものと同等であるから、同態様の部位には同符号を付してその説明を省くことにする。
【００２６】
図５に示す実施の形態にあっては、スライドコア１３の先端部が幅を狭くした形状としている。これにより、凹溝６の幅を狭く形成できるので、他方の壁２の外面の外観性が良好である。図６に示す実施の形態にあっては、スライドコア１３の先端部の幅をその先端方向に幅が狭くなる形状となっている。そして、このようにすることにより、他方の壁３の外面の仕切壁４と対応する部位に形成する凹溝６は、その深さ方向に幅が狭くなるように形成されるので、成形品の離型がスムーズである。また、図７に示す実施の形態にあっては、スライドコア１３の先端部を先端方向に段階的に幅が狭くなる形状となっていて、凹溝６には開口側が浅くても、仕切壁４の溶着面８と対応する部位を深く形成できるので、波状の線の現出防止効果がいっそう向上する。
【００２７】
【発明の効果】
本発明によれば、一対の分割金型間に熱可塑性樹脂のパリソンを配置して型締めし、他方の金型に設けたスライドコアを進出させることにより他方の壁の一部を一方の壁に接するまで突出させて両壁を溶着させてからスライドコアを他方の金型のキャビティ面から少しだけ突出する位置まで後退させたうえ、パリソン内に圧力流体を導入してパリソンを一対の金型のキャビテイ面に沿わせた形状に成形するとともに、ブロー圧により上記突出させた壁の側面を互いに溶着して一方の壁と他方の壁との間に一体的な仕切壁を形成することにより、ブロー圧により上記突出させた壁の側面を互いに溶着して一方の壁と他方の壁との間に一体的な仕切壁を形成する過程において仕切壁となる部位をスライドコアの先端部で他方の金型のキャビティに支持して、他方の壁の外面の仕切壁に対応する部位に波状の線が現出するのを確実に防止し、一方の壁の外面だけでなく他方の壁の外面の外観性にもすぐれた中空二重壁成形品を提供することができる。
【図面の簡単な説明】
【図１】本発明の一実施の形態係る中空二重壁成形品を示す一部破断斜視図である。
【図２】本発明の一実施の形態係る中空二重壁成形品の一部の断面図である。
【図３】本発明の一実施の形態係る中空二重壁成形品のブロー成形態様を示し、型締め時に仕切壁を形成するスライドコアを進出させた工程を示す一部の断面図である。
【図４】本発明にの一実施の形態係る中空二重壁成形品のブロー成形態様を示し、スライドコアを後退させた工程を示す一部の断面図である。
【図５】本発明の他の実施の形態に係る係る中空二重壁成形品のブロー成形態様を示し、スライドコアを後退させた工程を示す一部の断面図である。
【図６】本発明のさらに他の実施の形態に係る係る中空二重壁成形品のブロー成形態様を示し、スライドコアを後退させた工程を示す一部の断面図である。
【図７】本発明のまたさらに他の実施の形態に係る係る中空二重壁成形品のブロー成形態様を示し、スライドコアを後退させた工程を示す一部の断面図である。
【符号の説明】
１  中空二重壁成形品
２  一方の壁
３  他方の壁
４  仕切壁
５  中空部
６  凹溝
７  溶着部
８  頂端面
１１  一方の金型
１２  他方の金型
１３  スライドコア
１４  パリソン
【図１】
0004077871.tif 000002
【図２】
0004077871.tif 000003
【図３】
0004077871.tif 000004
【図４】
0004077871.tif 000005
【図５】
0004077871.tif 000006
【図６】
0004077871.tif 000007
【図７】
0004077871.tif 000008